(57)【要約】【課題】投写型陰極線管と投写用のレンズ組立とを結合器で結合保持した投写型陰極線管装置で、陰極線管の蛍光面中心とレンズ組立の中心とのずれを無くしてフォ−カス特性の優れた高解像度の投写型陰極線管装置を得る。【解決手段】陰極線管のフェ−スプレ−ト２１の内外表面２１ａ、２１ｃを球面状凸面とし、この凸面を電子銃６側とした。【選択図】        図１
2004335203.tif 000002
【特許請求の範囲】
【請求項１】
画像を表示する蛍光面をフェ−スプレ−ト内表面に有するパネル部と、電子ビ−ムを前記蛍光面に向けて出射する電子銃を内包したネック部と、前記パネル部とネック部とを繋ぐファンネル部と、前記ネック部の開口端を閉じるステム部とを備えた陰極線管と、
前記陰極線管に外装された偏向ヨークを含む偏向装置と、
前記フェ−スプレ−トの外表面側に配置されたレンズ組立と、
このレンズ組立と前記陰極線管との間に配置されて両者を結合すると共に、前記フェ−スプレ−ト外表面に対面するフランジ部を備えた結合器と、
前記レンズ組立と結合器及びフェ−スプレ−ト外表面で囲まれた空間内に配置された冷媒液と、
を備えた陰極線管装置において、
前記フェ−スプレ−トの内外表面の略全域が前記電子銃側に凸面であると共に前記フェ−スプレ−トの外表面曲率が内表面曲率より小さいことを特徴とする陰極線管装置。
【請求項２】
前記フェ−スプレ−トの内外表面の曲率中心が前記レンズ組立側の同一点に有ることを特徴とする前記請求項１に記載の陰極線管装置。
【請求項３】
前記フェ−スプレ−トの厚さが前記略全域で同一であることを特徴とする前記請求項１又は請求項２に記載の陰極線管装置。
【請求項４】
前記フェ−スプレ−トの内表面が非球面であることを特徴とする前記請求項１乃至請求項３のいずれかに記載の陰極線管装置。
【請求項５】
前記結合器のフランジ部が前記電子銃側に凸面であることを特徴とする前記請求項１乃至請求項４のいずれかに記載の陰極線管装置。
【請求項６】
前記結合器のフランジ部の凸面の曲率が前記フェ−スプレ−トの外表面の曲率と略同一であることを特徴とする前記請求項１乃至請求項５のいずれかに記載の陰極線管装置。
【請求項７】
前記レンズ組立の前記冷媒液と接するレンズ面が前記電子銃側に凸面であることを特徴とする前記請求項１乃至請求項６のいずれかに記載の陰極線管装置。
【請求項８】
画像を表示する蛍光面をフェ−スプレ−ト内表面に有するパネル部と、電子ビームを前記蛍光面に向けて出射する電子銃を内包したネック部と、前記パネル部とネック部とを繋ぐファンネル部と、前記ネック部の開口端を閉じるステム部とを備えた陰極線管と、
前記フェ−スプレ−トの外表面側に配置されたレンズ組立と、
このレンズ組立と前記陰極線管のフェ−スプレ−トとの間に配置され、内部に冷媒液を有する結合器とを備え、
前記フェ−スプレ−トの外表面が前記電子銃側に凸形状であると共に、前記結合器の前記フェ−スプレ−トとの対向面が対向するフェ−スプレ−トの外表面に沿って傾斜し、前記結合器は前記フェ−スプレ−トに押し付けられて固定していることを特徴とする陰極線管装置。
【請求項９】
前記フェ−スプレ−トの外表面は単一の曲率半径を有することを特徴とする前記請求項８に記載の陰極線管装置。
【請求項１０】
前記結合器をフェ−スプレ−トに押し付け固定する固定部材は、陰極線管の管軸に対し対称に配置した複数本のネジと、このネジに結合する複数の固定板とを備え、前記ネジを締めつけることにより前記管軸と平行な方向に締め付力を発生させることを特徴とする前記請求項８に記載の陰極線管装置。
【請求項１１】
赤、青、緑色の映像を表示する３つの陰極線管装置が水平方向にインライン配置され、この３つの陰極線管装置に表示された映像をスクリ−ン上に拡大投写するように構成された画像表示装置において、
前記陰極線管装置は、陰極線管とこの陰極線管のフェ−スプレ−ト前面側に配置されたレンズ組立とこのレンズ組立と前記陰極線管とを結合する結合器と前記陰極線管のフェ−スプレ−ト前面側に接して配置された冷媒液及び前記陰極線管に外装された偏向装置とを備え、かつ前記陰極線管のフェ−スプレ−トの内外表面の略全域が電子銃側に凸面であると共に前記フェ−スプレ−トの外表面曲率が内表面曲率より小さいことを特徴とする画像表示装置。
【請求項１２】
前記フェ−スプレ−トの内外表面の曲率中心が前記レンズ組立側の同一点に有ることを特徴とする前記請求項１１に記載の画像表示装置。
【請求項１３】
前記フェ−スプレ−トの厚さが前記略全域で同一であることを特徴とする前記請求項１１又は請求項１２に記載の画像表示装置。
【請求項１４】
前記フェ−スプレ−トの内表面が非球面であることを特徴とする前記請求項１１乃至請求項１３のいずれかに記載の画像表示装置。
【請求項１５】
前記結合器のフランジ部が前記電子銃側に凸面であることを特徴とする前記請求項１１乃至請求項１４のいずれかに記載の画像表示装置。
【請求項１６】
前記結合器のフランジ部の凸面の曲率が前記フェ−スプレ−トの外表面の曲率と略同一であることを特徴とする前記請求項１１乃至請求項１５のいずれかに記載の画像表示装置。
【請求項１７】
前記レンズ組立の前記冷媒液と接するレンズ面が前記電子銃側に凸面であることを特徴とする前記請求項１１乃至請求項１６のいずれかに記載の画像表示装置。
【請求項１８】
赤、青、緑色の映像を表示する３つの陰極線管装置が水平方向にインライン配置され、この３つの陰極線管装置に表示された映像をスクリーン上に拡大投写するように構成された画像表示装置において、
前記陰極線管装置は、陰極線管とこの陰極線管のフェ−スプレ−ト前面側に配置されたレンズ組立とこのレンズ組立と前記陰極線管とを結合する結合器と前記陰極線管のフェ−スプレ−ト前面側に接して配置された冷媒液とを備え、かつ前記陰極線管の前記フェ−スプレ−トの外表面が前記電子銃側に凸形状であると共に、前記結合器の前記フェ−スプレ−トとの対向面が対向するフェ−スプレ−トの外表面に沿って傾斜し、前記結合器は前記フェ−スプレ−トに押し付けられて固定していることを特徴とする画像表示装置。
【請求項１９】
前記フェ−スプレ−トの外表面は単一の曲率半径を有することを特徴とする前記請求項１８に記載の画像表示装置。
【請求項２０】
前記結合器をフェ−スプレ−トに押し付け固定する固定部材は、陰極線管の管軸に対し対称に配置した複数本のネジと、このネジに結合する複数の固定板とを備え、前記ネジを締めつけることにより前記管軸と平行な方向に締め付力を発生させることを特徴とする前記請求項１８に記載の画像表示装置。
【発明の詳細な説明】
【０００１】
【発明の属する技術分野】
本発明は、単一電子ビ−ムを蛍光面に向けて出射する電子銃を持つ投写型陰極線管を備えた陰極線管装置に係り、特に投写型陰極線管の蛍光面の中心と投写用のレンズの中心とのずれを防止した陰極線管装置及びこれを用いた画像表示装置に関する。
【０００２】
【従来の技術】
投写型カラーＴＶ受像機のような投写型カラー画像表示装置は、一般に赤、緑及び青の原色画像再生にそれぞれ専用の３本の投写型陰極線管装置を用い、これら３本の投写型陰極線管装置により得られた３個の原色画像を、光学レンズ或いはミラーを用いてスクリーン上に拡大投写し、３個の原色画像をスクリーン上で重ね合わせてカラー画像を形成している。ちなみに、投写型陰極線管としては蛍光面対角径が５．５インチ或いは７インチ等のものがあり、又投写型ＴＶ受像機ではスクリーン対角径が４０インチ乃至７０インチ程度のものが用いられている。
【０００３】
図１１は前述した投写型カラ−ＴＶ受像機のような投写型カラー画像表示装置に用いられる従来の投写型陰極線管装置の構造例を説明する模式断面図である。図１１において、参照符号１はパネル部、２はファンネル部、３はネック部、４はステム部で、これらパネル部１、ファンネル部２、ネック部３及びステム４とで真空外囲器５を構成している。６は電子銃で、この電子銃６は前記ネック部３内に配置されている。又、前記パネル部１はフェ−スプレ−ト１１とファンネル部２側に延びる側壁１２とを有し、前記フェ−スプレ−ト１１はその内表面１１ａに蛍光面１１ｂを備え、この蛍光面１１ｂの発光は外表面１１ｃから外部へ放射される。
【０００４】
ここで、前記フェ−スプレ−ト１１の内表面１１ａは、外表面１１ｃ側に曲率中心を持つ球面状を呈し、かつ凸面が前記電子銃６側となっている。また外表面１１ｃはフラットである。又、前記電子銃６は複数の電極を有して単一電子ビ−ムを前記蛍光面１１ｂに向けて出射し、蛍光体を励起して発光させる。なお、参照符号１３は陰極線管全体を示す。
【０００５】
次に、参照符号１４は偏向ヨ−ク及びコンバ−ゼンスヨ−ク等を含む偏向装置で、前記陰極線管１３のネック部３からファンネル部２との遷移部分に亘って外装され、電子銃６から出射された電子ビームを偏向装置１４の偏向ヨ−クによってＸ方向（水平方向）とＹ方向（垂直方向）に偏向し、パネル部１のフェ−スプレ−ト１１の内表面１１ａに形成された蛍光面１１ｂに射突させて所要の画像を形成する。
【０００６】
又、参照符号１５はレンズ組立で、このレンズ組立１５は前記フェ−スプレ−ト１１の外表面１１ｃに対向して配置され、蛍光面１１ｂの画像を図示しないスクリーン上に拡大投写させる構成となっている。このレンズ組立１５は結合器（カプラ）１６を介して前記陰極線管１３と結合されている。この結合はフェ−スプレ−ト１１の内表面１１ａに形成された蛍光面１１ｂの中心とレンズ組立１５の中心軸との軸合わせを行った後に実施される。
【０００７】
なお、この結合構造で陰極線管１３と結合器１６との結合に付いては例えば「特許文献１」に開示されている係止部を利用する手段等が採用できる。
【０００８】
又、１７は冷媒液で、この冷媒液１７は前記パネル部１のフェ−スプレ−ト１１の外表面１１ｃに接し該部分を冷却する機能を有している。この冷媒液１７は前記結合器１６とレンズ組立１５及びフェ−スプレ−ト１１の外表面１１ｃで囲まれた空間内に保持されている。
【０００９】
参照符号１８は陰極線管装置全体を示す。
【００１０】
ここで、この種の投写型陰極線管装置のフェ−スプレ−トに関連する従来技術としては、バルブ前面壁の表面側を凹面に形成し、内面側を凸面に形成した構成が「特許文献２」に開示されている。
【００１１】
又、凹状物体表面の像を平坦な表示スクリ−ンに投映するレンズ系に関する発明において、フェ−スプレ−トの形状を前記「特許文献２」と同様な構成とした内容が「特許文献３」に開示されている。
【００１２】
更に、「特許文献４」には多要素投影レンズシステムを具える影像投影システムに関する発明において、フェ−スプレ−トの形状を前記「特許文献２」と同様な構成とすると共にフェ−スプレ−トとレンズ間に冷却剤を通す板状保持器を配置する構成が開示されている。
【００１３】
更に又、「特許文献５」にはフェ−スプレ−トの形状を前記「特許文献２」と同様な構成とした図示が開示されている。
【００１４】
【特許文献１】
特開昭６２−８４２３号公報
【特許文献２】
特開昭５８−４４６５７
【特許文献３】
特開昭６０−４３６２７
【特許文献４】
特開昭６３−１４８２２１
【特許文献５】
英国特許２０９１８９８号明細書
【００１５】
【発明が解決しようとする課題】
投写型陰極線管装置では陰極線管の蛍光面の中心と投写用光学系のレンズ組立の中心とを一致させて両者を結合器で一体に結合する構成となっている。ところが、レンズ組立は機械加工等が可能で結合器に対し高精度で取り付けることができる。しかしながら、陰極線管の結合器への取り付けは位置決め治具を用いパネル部の外形基準或いは外形の一部を位置決め点として採用する等の手段が用いられるが、治具のずれ等により結合器に対し蛍光面を正しく取り付けることが困難である。
【００１６】
フォ−カス性能、特に周辺フォ−カス性能を確保するためには、レンズ組立の中心と蛍光面の中心を正確に一致させる必要があるが、従来技術では、両者の中心のずれを無くす事は困難で、フォ−カスの全面性の改良に対する解決策が課題となっていた。
例えば０．５ｍｍの軸ずれが生じた場合、５インチラスターのコーナー部（パネル中心から６４ｍｍの点）では±０．１ｍｍの蛍光面の位置ずれとなり、両対角コーナーでは０．２ｍｍのずれとなって周辺フォーカス性能が低下する。
【００１７】
又、前述した周辺フォ−カス性能の問題は、この様な陰極線管装置を用いる画像表示装置では構成上スクリ−ンに拡大投写されることから顕著に表れ、早急な解決策が求められていた。
【００１８】
一方、上記特許文献１〜５には上記課題の提起も無く、又これら特許文献１〜５を含めて、従来技術に於いてはこれらの問題の解決はなされていなかった。
【００１９】
本発明は、前述した課題を解決してフォ−カスの全面性が良好で解像度の優れた投写型の陰極線管装置及びそれを用いた画像表示装置を提供する。
【００２０】
【課題を解決するための手段】
本発明は陰極線管のフェ−スプレ−トの内外表面を電子銃方向に凸面とすると共にフェ−スプレ−トの外表面曲率を内表面曲率より小さくし、フォ−カス劣化のない解像度の優れた陰極線管装置及びそれを用いた画像表示装置を可能にしたものである。以下本発明の代表的な構成を記述する。
【００２１】
画像を表示する蛍光面をフェ−スプレ−ト内表面に有するパネル部と、電子ビ−ムを前記蛍光面に向けて出射する電子銃を内包したネック部と、前記パネル部とネック部とを繋ぐファンネル部と、前記ネック部の開口端を閉じるステム部とを備えた陰極線管と、前記陰極線管に外装された偏向ヨークを含む偏向装置と、前記フェ−スプレ−トの外表面側に配置されたレンズ組立と、このレンズ組立と前記陰極線管との間に配置されて両者を結合すると共に、前記フェ−スプレ−ト外表面に対面するフランジ部を備えた結合器と、前記レンズ組立と結合器及びフェ−スプレ−ト外表面で囲まれた空間内に配置された冷媒液とを備え、前記フェ−スプレ−トの内外表面の略全域が前記電子銃側に凸面であると共に前記フェ−スプレ−トの外表面曲率が内表面曲率より小さい。
【００２２】
又、本発明の陰極線管装置は前記フェ−スプレ−トの内外表面の曲率中心が前記レンズ組立側の同一点に有り、更に、前記フェ−スプレ−トの厚さを前記略全域で同一とすることができ、更に又、前記フェ−スプレ−トの内表面を非球面とすることができる。
【００２３】
更に、本発明の陰極線管装置は前記結合器のフランジ部を前記電子銃側に凸面とすることができ、又、前記結合器のフランジ部の凸面の曲率を前記フェ−スプレ−トの外表面の曲率と略同一とすることができ、更に、前記レンズ組立の前記冷媒液と接するレンズ面を前記電子銃側に凸面とすることができる。
更に又、フェ−スプレ−トの外面は単一の曲率半径とすることができ、又結合器のフェ−スプレ−トとの接触面をフェ−スプレ−ト外表面の曲率と同じ曲率半径で形成し、結合器は固定部材によりフェ−スプレ−トに押し付けられて固定され、この固定部材を構成するネジは陰極線管の管軸に対し対称に配置し、このネジを締め付けることにより管軸と平行な方向に締め付力を発生させることができる。
【００２４】
又、本発明の画像表示装置は、赤、青、緑色の映像を表示する３つの陰極線管装置が水平方向にインライン配置され、この３つの陰極線管装置に表示された映像をスクリ−ン上に拡大投写するように構成された画像表示装置において、前記陰極線管装置は、陰極線管とこの陰極線管のフェ−スプレ−ト前面側に配置されたレンズ組立とこのレンズ組立と前記陰極線管とを結合する結合器と前記陰極線管のフェ−スプレ−ト前面側に接して配置された冷媒液及び前記陰極線管に外装された偏向装置とを備え、かつ前記陰極線管のフェ−スプレ−トの内外表面の略全域が電子銃側に凸面であると共に前記フェ−スプレ−トの外表面曲率が内表面曲率より小さいことを特徴とする。
【００２５】
又、本発明の画像表示装置は、前記フェ−スプレ−トの内外表面の曲率中心が前記レンズ組立側の同一点に有り、更に、前記フェ−スプレ−トの厚さを前記略全域で同一とすることができ、更に又、前記フェ−スプレ−トの内表面を非球面とすることができる。
【００２６】
更に、本発明の画像表示装置は、前記結合器のフランジ部を前記電子銃側に凸面とすることができ、又、前記結合器のフランジ部の凸面の曲率を前記フェ−スプレ−トの外表面の曲率と略同一とすることができ、更に、前記レンズ組立の前記冷媒液と接するレンズ面を前記電子銃側に凸面とすることができ、更に又、フェ−スプレ−トの外面は単一の曲率半径とすることができ、又、結合器のフェ−スプレ−トとの接触面をフェ−スプレ−ト外表面の曲率と同じ曲率半径で形成し、結合器は固定部材によりフェ−スプレ−トに押し付けられて固定され、この固定部材を構成するネジは陰極線管の管軸に対し対称に配置し、このネジを締め付けることにより管軸と平行な方向に締め付力を発生させることができる。
【００２７】
上述した構成により、陰極線管の管軸と結合器の中心軸とを容易に一致させることができ、フォーカスの全面性が改良され解像度の優れた陰極線管装置およびそれを用いた画像表示装置を可能にしたものである。
【００２８】
なお、本発明は、上記の構成及び後述する実施例の構成に限定されるものではなく、本発明の技術思想を逸脱することなく種々の変更が可能であることは云うまでもない。
【００２９】
【発明の実施の形態】
以下、本発明の実施の形態につき、図示した実施例を参照して詳細に説明する。
【００３０】
図１は本発明の投写型陰極線管装置の一実施例を示す模式断面側面図、図２は図１のＡ部拡大図である。図１及び図２において、参照符号２０はパネル部、２はファンネル部、３はネック部、４はステム部で、これらパネル部２０、ファンネル部２、ネック部３及びステム４とで真空外囲器２５を構成している。６は電子銃で、この電子銃６は前記ネック部３内に配置されている。
【００３１】
又、前記パネル部２０はフェ−スプレ−ト２１とファンネル部２側に延びる側壁２２とを有し、前記フェ−スプレ−ト２１はその内表面２１ａに蛍光面２１ｂを備え、この蛍光面２１ｂの発光は外表面２１ｃから外部へ放射される。
【００３２】
ここで、前記フェ−スプレ−ト２１の内表面２１ａは、外表面２１ｃ側に曲率中心を持つ球面状を呈し、かつ凸面が前記電子銃６側となっている。又、外表面２１ｃも前記内表面２１ａの曲率中心に曲率中心を持つ球面状を呈し、かつ凸面が前記電子銃６側となっている。
【００３３】
又、前記電子銃６は複数の電極を有して単一電子ビ−ムを前記蛍光面２１ｂに向けて出射し、蛍光体を励起して発光させる。なお、参照符号２３は陰極線管を示す。
【００３４】
次に、参照符号１４は偏向ヨ−ク及びコンバ−ゼンスヨ−ク等を含む偏向装置で、前記陰極線管２３のネック部３からファンネル部２との遷移部分に亘って外装され、電子銃６から出射された電子ビームを偏向装置１４の偏向ヨ−クによってＸ方向（水平方向）とＹ方向（垂直方向）に偏向し、パネル部２０のフェ−スプレ−ト２１の内表面２１ａに形成された蛍光面２１ｂに射突させて所要の画像を形成する。
【００３５】
又、参照符号１５はレンズ組立で、このレンズ組立１５は前記フェ−スプレ−ト２１の外表面２１ｃに対向して配置され、蛍光面２１ｂの画像を拡大してスクリーン（図示せず）上に拡大投写させる構成となっている。
【００３６】
このレンズ組立１５は結合器（カプラ）２６を介して前記陰極線管２３と結合されている。この結合はフェ−スプレ−ト２１の内表面２１ａに形成された蛍光面２１ｂの中心とレンズ組立１５の中心軸との軸合わせを行った後に実施される。
【００３７】
又、レンズ組立１５の冷媒液１７と接するレンズ１５ａは前記冷媒液１７と接する面を前記電子銃６側に凸面を呈する構成とされている。この冷媒液１７はパネル部２０のフェ−スプレ−ト２１の外表面２１ｃに接し該部分を冷却する機能を有している。
【００３８】
又、結合器２６はフェ−スプレ−ト２１の外表面２１ｃの周縁部に対面するフランジ部２６ａを有しており、このフランジ部２６ａの外表面２１ｃ側の先端は前記レンズ組立１５側に曲率中心を持つ球面状を呈し、かつ凸面が前記電子銃６側となっている。このフランジ部２６ａは先端側の溝２６ｂ内にＯリング２７を配置し冷媒液１７をシ−ルしている。冷媒液１７は前記結合器２６とレンズ組立１５及びフェ−スプレ−ト２１の外表面２１ｃで囲まれた空間内に保持されている。参照符号２８は陰極線管装置全体を示す。又、フェ−スプレ−ト２１は略全域で同じ板厚となっている。
【００３９】
次に、図３は図１の一部を拡大して示す模式断面図である。図３において、フェ−スプレ−ト２１の外表面２１ｃは曲率中心Ｐから曲率半径Ｒｃの球面状に形成され、かつその凸面が図示しない電子銃方向となっている。内表面２１ａは同じ曲率中心Ｐから曲率半径Ｒａの球面状に形成され、かつその凸面は同じく電子銃方向となっている。
【００４０】
更に、結合器２６のフランジ部２６ａのフェ−スプレ−ト２１の外表面２１ｃと対面する端面は曲率中心Ｐから曲率半径Ｒｆの球面状に形成され、かつその凸面は同じく電子銃方向となっている。なお、参照符号２９はファンネル部２の外表面に設けられた突起で、この突起２９は例えば結合器２６との係止用或いは陰極線管２３と結合器２６との組込の際の位置合わせ用等に利用される。
【００４１】
本発明の陰極線管装置の一つの具体例では、Ｒａ：３５０ｍｍ、Ｒｃ：３４０ｍｍ、  Ｒｆ：３４０ｍｍ、フェ−スプレ−ト厚さ：１０ｍｍである。
【００４２】
上述した実施例の構成では蛍光面は常に所望の位置に配置できるため、周縁部を含む略全域で所望のフォ−カス性能を確保でると共に、冷媒液の厚さが均等となり、光学系の温度依存性が緩和され、画像表示装置におけるフォ−カスドリフトを低減できる。
【００４３】
次に、図４は本発明の陰極線管装置の他の実施例を示す模式側面図、図５は図４のＰ方向からみた一部切欠模式背面図で、これら図４及び図５において前述の図と同一符号は同一機能を表す。図４及び図５に示す本発明の陰極線管装置３８は、陰極線管３３とレンズ組立１５及び結合器２６の三者を備え、これら三者を固定部材ＳＡで一体に組み立てている。
前記陰極線管３３はパネル部２０の外側周面に複数個の突起状の位置決め部３０を有し、この位置決め部３０は、パネル部２０の長辺側に２個（３０ａ、３０ｂ）、短辺側に１個（３０ｃ）それぞれ配置し、組立治具（図示せず）を利用して前記結合器２６と結合する際の相互位置決めの目印として用いられている。
この位置決め部３０は、前記突起状の他に凹状等目印となる形状であれば良い。
又、前述したファンネル部２の外側面の係止用突起２９に、前記固定部材ＳＡの一部を構成するバルブ固定板ＢＴを係止させ、この背面側に配置されたバルブ固定板ＢＴと前面側に配置された結合器固定板ＣＴとを、陰極線管３３の管軸に対し対称に配置したネジＳＣと係合させて陰極線管３の管軸と平行な方向に締め付けて前記結合器２６と陰極線管３３とを固定し、前記結合器に対する陰極線管の管軸を中心とした回転方向の変位を防止すると共に、前記三者を所定の位置関係で結合させて陰極線管装置３８を構成している。
前記結合器２６と陰極線管３３は前述の如く前記固定部材ＳＡのバルブ固定板ＢＴと結合器固定板ＣＴとをネジＳＣで陰極線管３３の管軸と平行な方向に締め付けて固定している。
この時、フェ−スプレ−トの外表面が電子銃側に凸形状であると共に、結合器のフェ−スプレ−トとの対向面が対向するフェ−スプレ−トの外表面に沿って傾斜しているため、結合器とフェ−スプレ−トとを管軸と平行な方向から押し付けることで、陰極線管の管軸と結合器の中心軸を一致させることができる。
更に、フェ−スプレ−トの外面を単一の曲率半径で形成し、結合器のフェ−スプレ−トとの接触面をフェ−スプレ−ト外表面の曲率と同じ曲率で形成する。結合器はバルブ固定板ＢＴと結合器固定板ＣＴとネジＳＣを有する固定部材ＳＡによりフェ−スプレ−トに押し付けられて固定されている。固定部材ＳＡのネジＳＣは陰極線管の管軸に対し対称に配置してあり、管軸と平行な方向に締め付ける。
本発明の陰極線管装置は、陰極線管の管軸と結合器の中心軸のずれを抑制し、陰極線管の管軸と結合器の中心軸とを容易に一致させることができる。
更に、レンズ組立１５は冷媒液１７と接するレンズ１５ａの後段に複数個のレンズ１５ｂ〜１５ｅを鏡筒１５ｆ内に配置している。
なお、図４では、陰極線管３３の管軸と結合器２６の中心軸とレンズ組立て１５の中心軸が一致した陰極線管装置３８の中心軸より上側を陰極線管装置３８の断面図、下側を外形側面図で表している。
【００４４】
この実施例の構成では、陰極線管の管軸と結合器の中心軸のずれを抑制し、陰極線管の管軸と結合器の中心軸とを容易に一致させることができると共に、結合器に対する陰極線管の管軸を中心とした回転方向のずれ防止効果が顕著となる。
【００４５】
次に、図６は本発明の陰極線管装置の更に他の実施例の要部を示す模式断面図で、前述の図と同一符号は同一機能を表す。図６に示す陰極線管装置は、フェ−スプレ−ト２１の内表面２１ａを（式１）で示す非球面形状とし、外表面２１ｃは単一球面としたものである。なお、図においてｒは中心軸からの距離、Ｚは落込み量をそれぞれ示している。
【００４６】
【式１】
2004335203.tif 000003
【００４７】
又、この実施例では外表面２１ｃの曲率は内表面２１ａの平均曲率より小さな構成となっている。
【００４８】
この実施例の具体例では、Ｒｃ及びＲｆはそれぞれ３４０ｍｍ、フェ−スプレ−ト厚さは１０ｍｍとし、内表面２１ａの形状はフェ−スプレ−ト２１の中心からの距離と落込み量を示す図７の点線３１で示す曲線に沿った曲面を呈している。
【００４９】
なお、図７の実線３２は図１に示す本発明の第１の実施例の内表面２１ａの形状を示している。この図６に示す実施例の構成では、フォ−カス性能を更に向上できる。
【００５０】
図８は投写型陰極線管装置を用いた投写型の画像表示装置の一例の背面投写型テレビの概略正面図、図９は図８を側面から見た概略断面図である。図８、図９において、投写型テレビのセットの下方に設置された投写型陰極線管ＰＲＴのパネルには結合器（カプラ）ＣＰＬを介して投写用のレンズ組立てＬＮＳが取付けられており、この陰極線管ＰＲＴのパネルに形成された画像を投写用のレンズ組立てＬＮＳで拡大し、背面に設置されたミラーＭＩＲで全面に設置されたスクリーンＳＣＲ上に投射される。
【００５１】
上記構成とした投写型テレビによれば、投写型陰極線管ＰＲＴからスクリーンＳＣＲまでの投写距離を実質的に短縮することが可能となり、奥行きを薄くしコンパクトな画像再生装置を構成することができる。
【００５２】
このような投写型テレビに本発明による陰極線管装置を用いたことにより、フォ−カス性能の向上に伴う高精細、かつ高画質の画像表示装置を得る事ができる。
【００５３】
図１０は上記した投写型陰極線管装置を用いた投写型の画像表示装置の画像再生方式の一例を説明する模式図であって、ｒＰＲＴ、ｇＰＲＴ、ｂＰＲＴはそれぞれ赤、緑、青用の投写型陰極線管、ＰＮＬは上記投写型陰極線管の画像形成部であるパネル、ＬＮＳは投写用のレンズ組立、ＳＣＲは投写スクリーンである。
【００５４】
図１０において、緑用の投写型陰極線管ｇＰＲＴの中心軸上には、そのパネルＰＮＬに対向して一定の距離だけ離間させた位置に投射スクリーンＳＣＲが略垂直に配置されている。又、他の赤用及び青用の投写型陰極線管ｒＰＲＴ、ｂＰＲＴは、前記緑用の投写型陰極線管ｇＰＲＴを挟んで同一面内で左右にそれぞれ配置され、その中心軸が投写スクリーンＳＣＲ上で前記中央の緑用の投写型陰極線管ｇＰＲＴの中心軸と一致する角度で固定されている。
【００５５】
そして、投写型陰極線管ｒＰＲＴ、ｇＰＲＴ、ｂＰＲＴの各パネルの前面にはそれぞれの陰極線管の軸線と同一線上に投写用のレンズ組立ＬＮＳが配置され、各パネルに形成された単色の画像を拡大してスクリーンＳＣＲ上に投写し、重ね合わせることでカラー画像が形成される。
【００５６】
このような投写型の画像表示装置に本発明による投写型陰極線管装置を用いたことにより、高精細、かつ高画質の投写型の画像表示装置を得ることができる。
【００５７】
【発明の効果】
以上説明したように、本発明によれば、投写型陰極線管のパネル部のフェ−スプレ−トの内外表面を球面状とし、かつ凸面が電子銃側となる構成とすると共に外表面の曲率を内表面の曲率より小さい形状とすることで、蛍光面と投写用のレンズ組立との同軸性を確保してフォ−カス性能を向上させ高精細、かつ高画質の陰極線管装置を得ることができる。  又、本発明の陰極線管装置を実装したことで、フォ−カス性能に優れた高精細、かつ高画質の画像表示装置を得ることができる。
【図面の簡単な説明】
【図１】本発明の投写型陰極線管装置の一実施例を示す模式断面側面図である。
【図２】図１のＡ部拡大図である。
【図３】図１の一部を拡大して示す模式断面図である。
【図４】本発明の陰極線管装置の他の実施例を示す模式側面図である。
【図５】図４をＰ方向から見た一部切欠模式背面図である。
【図６】本発明の陰極線管装置の更に他の実施例の要部を示す模式断面図である。
【図７】フェ−スプレ−トの中心軸からの距離と落込み量を示す図である。
【図８】投写型陰極線管装置を用いた投写型画像表示装置の一例の背面投写型テレビの概略正面図である。
【図９】図８を側面から見た概略断面図である。
【図１０】投写型陰極線管装置を用いた投写型の画像表示装置の画像再生方式の一例を説明する模式図である。
【図１１】従来の投写型陰極線管装置の構造例を説明する模式断面図である。
【符号の説明】
１、２０  パネル部
２  ファンネル部
３  ネック部
４  ステム部
５、２５  真空外囲器
６  電子銃
１１、２１  フェ−スプレ−ト
１１ａ、２１ａ  内表面
１１ｂ、２１ｂ  蛍光面
１１ｃ、２１ｃ  外表面
１２、２２  側壁
１３、２３、３３  陰極線管
１４  偏向装置
１５  レンズ組立
１６、２６  結合器
１７  冷媒液
１８、２８、３８  陰極線管装置
２６ａ  フランジ部
３０  位置決め部
ＳＡ  固定部材。
【図１】
2004335203.tif 000004
【図２】
2004335203.tif 000005
【図３】
2004335203.tif 000006
【図４】
2004335203.tif 000007
【図５】
2004335203.tif 000008
【図６】
2004335203.tif 000009
【図７】
2004335203.tif 000010
【図８】
2004335203.tif 000011
【図９】
2004335203.tif 000012
【図１０】
2004335203.tif 000013
【図１１】
2004335203.tif 000014